(57)【特許請求の範囲】
【請求項１】
直管型の発光管と、当該発光管の端部に設けられる口金とを具備したランプが装着されるランプソケットにおいて、
前記口金は、前記発光管の軸方向に形成される接触片と、当該接触片の先端から前記発光管の径方向に延設されてなる延設片とからなる略Ｌ字状のピンが、前記軸方向の一端面に設けられ、
前記ランプソケットは、
一面に挿入孔が形成された中空箱型のソケット本体と、
略帯板状に形成されて幅方向が前記軸方向に沿う形で前記ソケット本体内において前記挿入孔に臨む位置に配設される給電用の導電板とから構成され、
前記導電板は一面が前記挿入孔の中心軸に対向し、前記導電板の他面と前記ソケット本体の内周面との間には第一の空間が設けられ、前記ソケット本体の一面に対向する当該ソケット本体の底面と前記導電板との間に第二の空間が設けられ、前記第一の空間と前記ソケット本体の底面との間に前記第二の空間に連通して当該第二の空間と共に回動空間を形成する第三の空間が設けられ、
前記挿入孔は、前記ランプのピンが挿入され、当該ランプが軸周りに回動されることで前記接触片が前記導電板の一面に接触し、前記延設片の回動軌跡が前記回動空間内を通り、
前記導電板が載置される第一の載置面を有した第一の台座と、当該第一の台座から離れた位置に形成されて前記導電板が載置される第二の載置面を有した第二の台座と、前記導電板の一面に対向する第一の規制片及び前記導電板の他面に対向する第二の規制片を有して前記第一の台座上に配置される規制部とが前記ソケット本体の内面に形成され、
前記導電板は、前記第二の載置面上に固定されることを特徴とするランプソケット。
【請求項２】
直管型の発光管と、当該発光管の端部に設けられる口金とを具備したランプが装着されるランプソケットにおいて、
前記口金は、前記発光管の軸方向に形成される接触片と、当該接触片の先端から前記発光管の径方向に延設されてなる延設片とからなる略Ｌ字状のピンが、前記軸方向の一端面に設けられ、
前記ランプソケットは、
一面に挿入孔が形成された中空箱型のソケット本体と、
略帯板状に形成されて幅方向が前記軸方向に沿う形で前記ソケット本体内において前記挿入孔に臨む位置に配設される給電用の導電板とから構成され、
前記導電板は一面が前記挿入孔の中心軸に対向し、前記導電板の他面と前記ソケット本体の内周面との間には第一の空間が設けられ、前記ソケット本体の一面に対向する当該ソケット本体の底面と前記導電板との間に第二の空間が設けられ、前記第一の空間と前記ソケット本体の底面との間に前記第二の空間に連通して当該第二の空間と共に回動空間を形成する第三の空間が設けられ、
前記挿入孔は、前記ランプのピンが挿入され、当該ランプが軸周りに回動されることで前記接触片が前記導電板の一面に接触し、前記延設片の回動軌跡が前記回動空間内を通り、
前記導電板は、前記ソケット本体の底面上に載置され、前記導電板の長手方向の一端側における前記ソケット本体の底面側に切り欠きが形成されて前記第二の空間が形成され、
前記導電板の長手方向の一端側が載置される第一の載置面を有した第一の台座と、前記導電板の一面に対向する第一の規制片及び前記導電板の他面に対向する第二の規制片を有して前記第一の台座上に配置される規制部とが前記ソケット本体の内面に形成され、
前記導電板は、長手方向の他端側が前記ソケット本体の底面上に固定されることを特徴とするランプソケット。
【請求項３】
前記導電板は、幅方向が前記軸方向に沿う帯板状に形成される導電板本体部と、当該導電板本体部に垂設され、前記第一の載置面上に載置されて当該第一の載置面に面接触する突片が形成されることを特徴とする請求項１または２記載のランプソケット。
【請求項４】
前記ソケット本体は、前記第一の台座が形成される第一の部材と、前記挿入孔が形成される第二の部材とから構成され、
前記第一の台座は、前記第一の載置面上に前記第一の規制片と前記第二の規制片との内のいずれか一方の規制片が形成され、
前記第二の部材は、前記第一の載置面と対向する面に、前記第一の規制片と前記第二の規制片との内のいずれか他方の規制片が形成され、
前記他方の規制片は、前記第一の載置面側へ向かうに従って、前記一方の規制片から離れる方向へ傾斜する傾斜面が形成されることを特徴とする請求項１または２または３記載のランプソケット。
【発明の詳細な説明】
【技術分野】
【０００１】
本発明は、ランプソケットに関するものである。
【背景技術】
【０００２】
近年、直管型蛍光ランプ（以下、蛍光ランプと称する）の代替光源として直管型ＬＥＤランプ（以下、ＬＥＤランプと称する）が提供されている。
【０００３】
ＬＥＤランプは、様々な種類のものが提供されており、蛍光ランプと同じ口金を用いて蛍光ランプからＬＥＤランプへの交換容易性を謳ったものがあった。
【０００４】
しかしながら、蛍光ランプからＬＥＤランプへ交換する際、新規に電源回路を必要とするか否か等、各メーカーにおいて交換時に必要される作業が統一されていなかった。つまり、蛍光ランプに対応した照明器具を、ＬＥＤランプに対応させる方法は、各メーカーで異なっていた。
【０００５】
一方、蛍光ランプに対応したランプソケット（例えば特許文献１参照）に対するＬＥＤランプの誤装着を防止するため、蛍光ランプが備える直線状のピンとは形状の異なる、図１１に示すようなＬ字状のピン３１０を有したＬＥＤランプ３００が規格化されている。
【０００６】
Ｌ字状のピン３１０は、発光管３２０の端部に設けられる口金３３０の端面に立設され、当該端面から軸方向へ形成される接触片３１１と、接触片３１１の先端から発光管３２０の径方向へ延設される延設片３１２とから構成される。ここで、ピン３１０は、口金３３０の端面に２つ並設され、２つのピン３１０は、延設片３１２が互いに反対方向へ向く形で各々設けられている。
【０００７】
そして、Ｌ字状のピン３１０を有したＬＥＤランプ３００に対応可能なランプソケットが必要となる。
【先行技術文献】
【特許文献】
【０００８】
【特許文献１】特開２００６−３３１７０１号公報
【発明の概要】
【発明が解決しようとする課題】
【０００９】
上記蛍光ランプに対応したランプソケットとして、当該ランプソケットに蛍光ランプのピンが挿入された後に蛍光ランプが軸周りに回動されることで当該蛍光ランプを装着可能とした回転機構を有したもの（蛍光ランプ用ソケット）があった。そして、Ｌ字状のピン３１０を有した上記ＬＥＤランプ３００においても、上記蛍光ランプと同様にしてランプの回動により装着可能なＬＥＤランプ用ソケットが望まれていた。
【００１０】
しかしながら、蛍光ランプ用ソケットの部品を流用して回転機構を備えたＬＥＤランプ用ソケットを構成した場合、回動時に延設片３１２がランプソケットの構成部品に干渉し、ＬＥＤランプ３００の装着を行うことができないといった問題があった。
【００１１】
本発明は、上記事由に鑑みてなされたものであり、その目的は、Ｌ字状のピンを有した直管型ＬＥＤランプを回動により装着でき、且つ、コストを抑えたランプソケットを提供することにある。
【課題を解決するための手段】
【００１２】
上記課題を解決するために本発明のランプソケットは、直管型の発光管と、当該発光管の端部に設けられる口金とを具備したランプが装着されるランプソケットにおいて、前記口金は、前記発光管の軸方向に形成される接触片と、当該接触片の先端から前記発光管の径方向に延設されてなる延設片とからなる略Ｌ字状のピンが、前記軸方向の一端面に設けられ、前記ランプソケットは、一面に挿入孔が形成された中空箱型のソケット本体と、略帯板状に形成されて幅方向が前記軸方向に沿う形で前記ソケット本体内において前記挿入孔に臨む位置に配設される給電用の導電板とから構成され、前記導電板は一面が前記挿入孔の中心軸に対向し、前記導電板の他面と前記ソケット本体の内周面との間には第一の空間が設けられ、前記ソケット本体の一面に対向する当該ソケット本体の底面と前記導電板との間に第二の空間が設けられ、前記第一の空間と前記ソケット本体の底面との間に前記第二の空間に連通して当該第二の空間と共に回動空間を形成する第三の空間が設けられ、前記挿入孔は、前記ランプのピンが挿入され、当該ランプが軸周りに回動されることで前記接触片が前記導電板の一面に接触し、前記延設片の回動軌跡が前記回動空間内を通り、前記導電板が載置される第一の載置面を有した第一の台座と、当該第一の台座から離れた位置に形成されて前記導電板が載置される第二の載置面を有した第二の台座と、前記導電板の一面に対向する第一の規制片及び前記導電板の他面に対向する第二の規制片を有して前記第一の台座上に配置される規制部とが前記ソケット本体の内面に形成され、前記導電板は、前記第二の載置面上に固定されることを特徴とする。
【００１５】
上記課題を解決するために本発明のランプソケットは、直管型の発光管と、当該発光管の端部に設けられる口金とを具備したランプが装着されるランプソケットにおいて、前記口金は、前記発光管の軸方向に形成される接触片と、当該接触片の先端から前記発光管の径方向に延設されてなる延設片とからなる略Ｌ字状のピンが、前記軸方向の一端面に設けられ、前記ランプソケットは、一面に挿入孔が形成された中空箱型のソケット本体と、略帯板状に形成されて幅方向が前記軸方向に沿う形で前記ソケット本体内において前記挿入孔に臨む位置に配設される給電用の導電板とから構成され、前記導電板は一面が前記挿入孔の中心軸に対向し、前記導電板の他面と前記ソケット本体の内周面との間には第一の空間が設けられ、前記ソケット本体の一面に対向する当該ソケット本体の底面と前記導電板との間に第二の空間が設けられ、前記第一の空間と前記ソケット本体の底面との間に前記第二の空間に連通して当該第二の空間と共に回動空間を形成する第三の空間が設けられ、前記挿入孔は、前記ランプのピンが挿入され、当該ランプが軸周りに回動されることで前記接触片が前記導電板の一面に接触し、前記延設片の回動軌跡が前記回動空間内を通り、前記導電板は、前記ソケット本体の底面上に載置され、前記導電板の長手方向の一端側における前記ソケット本体の底面側に切り欠きが形成されて前記第二の空間が形成され、前記導電板の長手方向の一端側が載置される第一の載置面を有した第一の台座と、前記導電板の一面に対向する第一の規制片及び前記導電板の他面に対向する第二の規制片を有して前記第一の台座上に配置される規制部とが前記ソケット本体の内面に形成され、前記導電板は、長手方向の他端側が前記ソケット本体の底面上に固定されることを特徴とする。
【００１６】
このランプソケットにおいて、前記導電板は、幅方向が前記軸方向に沿う帯板状に形成される導電板本体部と、当該導電板本体部に垂設され、前記第一の載置面上に載置されて当該第一の載置面に面接触する突片が形成されることが好ましい。
このランプソケットにおいて、前記ソケット本体は、前記第一の台座が形成される第一の部材と、前記挿入孔が形成される第二の部材とから構成され、前記第一の台座は、前記第一の載置面上に前記第一の規制片と前記第二の規制片との内のいずれか一方の規制片が形成され、前記第二の部材は、前記第一の載置面と対向する面に、前記第一の規制片と前記第二の規制片との内のいずれか他方の規制片が形成され、前記他方の規制片は、前記第一の載置面側へ向かうに従って、前記一方の規制片から離れる方向へ傾斜する傾斜面が形成されることが好ましい。
【発明の効果】
【００１７】
本発明では、Ｌ字状のピンを有した直管型ＬＥＤランプを回動により装着でき、且つ、コストを抑えたランプソケットを提供することができるという効果がある。
【図面の簡単な説明】
【００１８】
【図１】実施形態１におけるランプソケットの断面概略図を示す。
【図２】同上におけるランプソケットの分解斜視図を示す。
【図３】同上におけるランプソケットが備える導電板の斜視図を示す。
【図４】同上におけるランプソケットの斜視図を示す。
【図５】同上におけるランプソケットの要部断面図を示す。
【図６】実施形態２のランプソケットが備える導電板の斜視図を示す。
【図７】同上におけるランプソケットの断面概略図を示す。
【図８】同上において別のソケット本体を備えたランプソケットの斜視図を示す。
【図９】同上におけるランプソケットの分解斜視図を示す。
【図１０】同上におけるランプソケットの断面図を示す。
【図１１】同上におけるランプソケットが備える導電板の斜視図を示す。
【図１２】Ｌ字状のピンを有した直管型ＬＥＤランプの概略斜視図を示す。
【発明を実施するための形態】
【００１９】
以下、本発明の実施の形態を図面に基づいて説明する。
【００２０】
（実施形態１）
本実施形態のランプソケットＡは、従来例において図１２で示した、Ｌ字状のピン３１０を備えた直管型ＬＥＤランプ３００を、図示しない照明器具に取り付けるために利用される。
【００２１】
ランプソケットＡは、上述の照明器具に備えられるものであって、図１、２に示すように、一対のピン３１０それぞれが接触接続される一対の導電板２と、当該一対の導電板２を収納するソケット本体３とを備えている。以下、図２における上下左右を基準とし、上下左右方向と直交する方向を前後方向として説明を行う。
【００２２】
導電板２は、図３に示すように、弾性を有する金属材料からなる帯板状の板材が折曲されたものであって、長手方向に沿って略円弧状に形成されたピン接続部２０と、ピン接続部２０の長手方向の一端に連続する固定部２１とから構成される。
【００２３】
ピン接続部２０は、その凹面側がピン３１０に対する接触面として利用され、その中央部には、凹面側から凸面側へ突出した略三角形状の凹部２０ａが形成されている。凹部２０ａは、ピン３１０が嵌まり込むことで、導電板２に対してピン３１０を規定位置に位置決めするためのものである。また、ピン接続部２０の先端は、凸面側へ折曲されて当該先端の凹面側の後端からは、略矩形板状の突片２１３が垂設されている。
【００２４】
固定部２１は、図示しない給電線が接続される端子部２１１と、端子部２１１とピン接続部２０とを一体に連結する連結部２１２とを備えている。
【００２５】
端子部２１１は、給電線が挿入可能な大きさの挿入口２０ｂが形成された矩形板状の横片２１ａと、横片２１ａの左右方向の一端に垂設される縦片２１ｂと、横片２１ａの左右方向の他端側から縦片２１ｂの垂設方向へ向かうに従って当該縦片２１ｂに近づく方向へ突設される鎖錠片２１ｃとを備えている。この鎖錠片２１ｃは、挿入口２０ｂに挿入される図示しない給電線を縦片２１ｂとで挟み込むと共に、当該給電線に食い込み、給電線の挿入口２０ｂからの抜止を行う。つまり、端子部２１１は、挿入孔２０ｂに挿入した給電線を鎖錠片２１ｃの先端と縦片２１ｂとで挟持することで、給電線の機械的保持と電気的接続とを同時に行う所謂速結端子となっている。
【００２６】
ソケット本体３は、図２、４に示すように、前面が開口した箱状に形成され一対の導電板２が収納されるボディ４と、ボディ４の前面を覆う形でボディ４に被着されるカバー５と、ボディ４およびカバー５に回転自在に取り付けられる回転子６とを備えている。このようなボディ４、カバー５、および回転子６は、たとえば絶縁性を有する樹脂材料を用いた成形品である。ここで、カバー５及び回転子６は、直管型蛍光ランプのランプソケットにおいて従来から用いられているものと共通のものが用いられている。
【００２７】
ボディ４は、上側の側壁（上壁）４１の左右方向両端側に電線挿入口４ａがそれぞれ穿設されている。また、電線挿入口４ａの近傍には、図示しない解除孔が貫設される。
【００２８】
また、ボディ４は、上壁４１の下方に、ボディ４の底面から、略直方体状の台座（第二の台座）４１１が左右に並んで立設される。更に、一対の台座４１１の下方には、前方へ向けて壁部４１２がそれぞれ立設されており、各壁部４１２には、前端から後端部側へ向けて矩形状の切り欠き４１３が形成される。
【００２９】
また、ボディ４の下側の側壁（下壁）４２の中央部には、ピン３１０をボディ４内に、挿入するための開孔部４ｂが形成されている。更に、下壁４２において、開孔部４ｂの左右近傍には、前方へ向けて略矩形板状の第一の規制片４２１がそれぞれ突設された台座（第一の台座）４２０が形成されている。
【００３０】
さらに、ボディ４の底面４０において、台座４１１と側壁４２との間には、回転子６が回動自在に取り付けられる円弧状の一対の軸部４３が、互いに凹面を対向させた状態で左右に並設されている。この一対の軸部４３間には、ピン３１０を上下方向に通過可能とする隙間４３ａが形成されている。これによって、ランプ３００の一対のピン３１０の一方を、台座４１１と軸部４３との間、他方を開孔部４ｂと軸部５５との間にそれぞれ配置できるようになっている。
【００３１】
そして、ボディ４には、導電板２が次のようにして組み付けられる。導電板２は、固定部２１が、挿入口２０ｂをボディ４の電線挿入口４ａに連通させる形で台座４１１の前面（第二の載置面）４１ａ上に載置される。更に、ピン接続部２０は、その凹面が軸部４３に対向する形で、先端（図２における下端）の突片２１３が、開孔部４ｂと第一の規制片４２１との間における台座４２０の先端面（第一の載置面）４２ａ上に載置される。ここで、突片２１３は、第二の載置面４２ａに面接触することで、導電板２が安定して支持される。また、連結部２１２が、切り欠き４１３に嵌挿され、固定部２１が第一の載置面４１ａ上に固定され、ピン接続部２０は、連結部２１２との接続箇所を支点として左右に弾性変形可能に設けられる。
【００３２】
また、図５に示すように、ピン接続部２０の凸面とボディ４の左右側面４４との間には、空間（第一の空間）Ｓ１が形成される。また、導電板２が、第一、第二の載置面４１ａ、４２ａ上に載置されていることから、導電板２とボディ４の底面４０との間に空間（第二の空間）Ｓ２が形成されている。第二の空間は、上記空間Ｓ１とボディ４の底面４０との間に形成される空間（第三の空間）Ｓ３を介して空間Ｓ１と連通する。
【００３３】
カバー５は、ボディ４の前面を覆う形の平板部５０と、平板部５０の周縁から後方へ延設されてボディ４の周壁部を囲う形に形成される周壁部５１とを備えている。平板部５０には、ボディ４の軸部４３と同心円となる円形状の挿入孔５０ａが形成されている。挿入孔５０ａの内径は、一対のピン３１０の外幅より大きく設定されており、この挿入孔５０ａ内には、回転子６が回転自在に配置される。
【００３４】
また、平板部５０の後面において、第一の載置面４２ａと対向する箇所には、当該第一の載置面４２ａ側へ向かうに従って第一の規制片４２１から離れる方向へ傾斜する傾斜面５３ａを有した第二の規制片５３が突設されている。そして、カバー５が、ボディ４の前面に覆設される際、第一の載置面４２ａ上に載置された導電板２の突片２１３が、第一の規制片４２１と第二の規制片５３との間に配置される。これにより、ピン接続部２０の先端部の可動範囲は、第一の規制片４２１と第二の規制片５３との間に規制される。つまり、ピン接続部２０の可動範囲は、第一、第二の規制片４２１、５３からなる規制部によって設定される。
【００３５】
また、第二の規制片５３は、傾斜面５３ａを有しているため、カバー５をボディ４に覆設する際、例えば、第二の規制片５３がピン接続部２０に接触したとしても、ピン接続部２０が傾斜面５３ａ上を摺動し、カバー５の覆設をスムーズに行うことができる。
【００３６】
また、カバー５の周壁部５１には、図１に示すように、ボディ４の電線挿入口４ａと対向する部位に、当該電線挿入孔４ａと連通する電線挿入孔５１ａが形成されている。また、周壁部５１の上側の壁部（上壁）５１１の中央部には、円筒状のボス部５１ｂが突設されている。このボス部５１ｂには、ランプソケットＡを照明器具に取り付けるためのねじ孔５１ｃが、その内径部に穿設されている。また、周壁部５１においてボディ４の開孔部４ｂに対向する部位には、ピン挿入孔５１ｄが開孔部４ｂと連通する形に形成されている。
【００３７】
ところで、カバー５の平板部５０の上端側には、図４に示すように、平板状の取付台５２が前方へ向けて突設されており、この取付台５２の略中央には、ランプソケットＡを照明器具に取り付ける祭に用いられる、ねじ挿通孔５２ａが穿設されている。
【００３８】
回転子６は、ボディ４やカバー５と同様に例えば絶縁性を有する樹脂材料を用いた成形品であり、ボディ４の軸部５５が内側に挿入される略円筒状の軸受部６０と、軸受部６０前端に形成されてカバー５の挿入孔５０ａを閉塞する略円環状の閉塞部６１とからなる。
【００３９】
そして、回転子６には、軸受部６０の回転軸を通り閉塞部６１の径方向に沿って形成される切り欠き部６２が形成されている。そして、図４に示すように、回転子６の切り欠き部６２が、軸部４３の隙間４３ａに一致（対向）している状態（開状態）では、ピン３１０を開孔部４ｂよりソケット本体３内に挿入できる。また、上記状態より回転子６が、軸周りに回転して切り欠き部６２が、隙間４３ａに一致（対向）しなくなった状態では、開孔部４ｂが、回転子６の周壁によって閉塞され、ピン３１０を開孔部４ｂよりソケット本体３内に挿入できなくなる。
【００４０】
次に、以上の構成からなる本実施形態のランプソケットＡに、直管型ＬＥＤランプ３００を装着する際の動作について説明する。
【００４１】
まず、回転子６を上記開状態とし、ＬＥＤランプ３００の軸方向を前後方向に沿わせた状態で、ランプソケットＡの下方からＬＥＤランプ３００を上方向へ移動させる。そして、ピン３１０を開孔部４ｂよりソケット本体３内に挿入する。そして、一対のピン３１０の一方が、台座４１１と軸部４３との間、他方が、開孔部４ｂと軸部４３との間となる位置（開位置）まで移動させる。続いて、ＬＥＤランプ３００を軸回りの一方向へ約９０度回転させることによって、ピン３１０の接触片３１１が、ピン接続部２０と軸部４３との間に入り込む。そして、接触片３１１は、ピン接続部２０に圧接して当該ピン接続部２０を左右に撓ませつつ接続ピン２０の凹面上を摺動し、接触片３１１が凹部２０ａに対向する位置（閉位置）まで回動して当該凹部２０ｃに嵌まり込む。これにより、導電板２とピン３１０とが接続され、ＬＥＤランプ３００への給電が可能となる。なお、ランプソケットＡからＬＥＤランプ３００を取り外す際には、上記ランプ装着時の動作と逆の動作を行えばよい。
【００４２】
ここで、接触片３１１が、ピン接続部２０と軸部４３との間を回動する際、延設片３１２は、図５に示す、空間Ｓ２と空間Ｓ３からなる回動空間Ｓ４内を回動する。つまり、延設片３１２の回動軌跡は、回動空間Ｓ４を通るため、延設片３１２が導電板２に干渉することなくランプ３００を開位置から閉位置まで回動させることができる。
【００４３】
以上の通り、直管型蛍光ランプのランプソケットにおいて従来から用いられている、カバー５、及び回転子６を備えた本実施形態のランプソケットＡには、Ｌ字状のピン３００を備えたＬＥＤランプ３００を装着することができる。従って、ランプソケットＡは、製造時において、カバー５、及び回転子６を、直管型蛍光ランプ用のランプソケットと共用できるため、ソケット本体３の金型代を抑えることができ、コストを抑制することができる。
【００４４】
なお、本実施形態では、第一の規制片４２１が台座４２０から立設され、第二の規制片５３がカバー５から立設されているが、第一、第二の規制片４２１，５３の立設箇所はこれに限定されず、例えばカバー５の周壁部５１等、他の箇所から立設されていてもよい。
【００４５】
（実施形態２）
本実施形態のランプソケットＢは、導電板２の固定部２１の幅寸法、及びボディ４に台座４１１が設けられていない点が、実施形態１のランプソケットＡと異なっている。なお、その他の構成については、ランプソケットＡと共通であるため、共通の符号を付して説明を省略する。
【００４６】
本実施形態の導電板２は、図６に示すように、一端側（図６における下端側）の後端に切り欠き２１４が形成されることで、ピン接続部２０に比べて、固定部２１が後方側へ幅広に設定されている。ここで、切り欠き２１４は、ピン接続部２０の全体に亘って形成されている。
【００４７】
また、ボディ４には、実施形態１で示した台座４１１が形成されておらず、図７に示すように、導電板２の固定部２０が、ボディ４の底面４０上に載置されている。なお、ピン接続部２１は、ランプソケットＡと同様に、第一の載置面４２ａ上に載置され、第一、第二の規制片４２１，５３によってその可動範囲が規制される。なお、本実施形態では、第二の規制片５３が、第一の載置面４２ａから突設されている。
【００４８】
そして、導電板２がボディ４に組み付けられた際、切り欠き２１４によって、ピン接続部２０とボディ４の底面４０との間に空間Ｓ２が形成される。
【００４９】
ここで、ＬＥＤランプ３００を本実施形態のランプソケットＢに装着する方法については、実施形態１のランプソケットＡと共通であるため、説明を省略する。
【００５０】
本実施形態のランプソケットＢは、台座４１１がソケット本体３の底面４０上に載置されることから、実施形態１のランプソケットＡのように、ボディ４に台座４１１を形成する必要が無いため、ボディ４の構造を簡略化することができる。
【００５１】
また、例えば図８〜１０に示すように、ソケット本体３とは別の、直管型蛍光ランプ用のランプソケットとして従来から用いられているソケット本体７を用いて、ＬＥＤランプ３００に対応したランプソケットＤを形成することができる。当該ランプソケットＤが備える導電板８は、図１１に示すように、図示しない給電線が接続される固定部８１と、ピン３１０が接触するピン接続部８２と、ピン接続部８２と固定部８１とを接続する連結部８３とから構成される。以下、図１１における上下左右を基準とし、上下左右方向に直交する方向を前後方向として説明を行う。
【００５２】
ピン接続部８２は、連結部８３の左右方向の一方側の側縁から前方へ突出する基片８２１と、基片８２１の下端から下方へ向けて延設され、上端及び下端から中央部へ向かうに従って左右方向の他方側へ傾斜した略く字型の接触片８２２とから構成される。そして、接触片８２２は、その上端から下端に亘って後端側に切り欠き８２３が形成されている。
【００５３】
そして、切り欠き８２３が、上記ランプソケットＢと同様に空間Ｓ２を形成する。そして、空間Ｓ２とソケット本体７の周壁との間に形成される空間Ｓ３が、空間Ｓ２と共に回動空間Ｓ４を形成し、延設片３１２の回動軌跡が回動空間Ｓ４を通る。これにより、ピン３１０の延設片３１２が、導電板２に干渉することなく、ＬＥＤランプ３００をランプソケット７に装着することができる。
【符号の説明】
【００５４】
Ａ  ランプソケット
Ｓ１〜Ｓ３  空間（第一〜第三の空間）
Ｓ４  回動空間
２  導電板
３  ソケット本体
４１ａ  第二の載置面
４２ａ  第一の載置面
５０ａ  挿入孔
５３  第二の規制片
５３ａ  傾斜面
２１３  突片
３１０  ピン
３１１  接触片
３１２  延設片
３２０  発光管
３３０  口金
４１１  台座（第二の台座）
４２０  台座（第一の台座）
４２１  第一の規制片
【図１】
0005796204.tif 000002
【図２】
0005796204.tif 000003
【図３】
0005796204.tif 000004
【図４】
0005796204.tif 000005
【図５】
0005796204.tif 000006
【図６】
0005796204.tif 000007
【図７】
0005796204.tif 000008
【図８】
0005796204.tif 000009
【図９】
0005796204.tif 000010
【図１０】
0005796204.tif 000011
【図１１】
0005796204.tif 000012
【図１２】
0005796204.tif 000013